(57)【要約】【課題】複数の装飾部材と表示装置との重畳領域を多様に変化させて、遊技興趣の向上を図る。【解決手段】遊技機用演出装置は、複数の可動役物５０をＸ軸駆動装置３０とＹ軸駆動装置４０とにより液晶表示装置と重畳する位置にＸＹ方向に移動させ、各可動役物５０の第１〜第３パネルを開閉する開閉動作を行なって、液晶表示装置との重畳領域を変化させる。Ｘ軸駆動装置３０は、複数組（２組）の対になる可動役物を互いの組が近接または離間するようＸ軸方向に移動させ、Ｙ軸駆動装置４０は、対になる複数の可動役物を互いに近接または離間するようＹ軸方向に移動させる。また、可動役物５０は、駆動モータにより第１〜第３パネルを折り畳まれた閉状態と平らに展開された開状態とに変化させる。【選択図】図２
2018192060.tif 000002
【特許請求の範囲】
【請求項１】
表示装置を備える遊技機に用いられる遊技機用演出装置であって、
複数の装飾部材と、
前記複数の装飾部材を第１状態と第２状態とに変化させる第１駆動手段と、
前記複数の装飾部材を前記表示装置と重畳する所定位置に移動させる第２駆動手段と、
を備え、
前記第１および第２駆動手段により、前記複数の装飾部材と前記表示装置との重畳領域を変化させる、
遊技機用演出装置。
【請求項２】
請求項１記載の遊技機用演出装置であって、
前記第２駆動手段は、前記表示装置の表示面に平行な面に沿って互いに直交する２方向に前記複数の装飾部材を移動させる、
遊技機用演出装置。
【請求項３】
請求項２記載の遊技機用演出装置であって、
前記複数の装飾部材は、互いに対になる装飾部材が複数組あり、
前記第２駆動手段は、前記対になる装飾部材を互いに近接する方向と離間する方向とに移動させる第１駆動装置と、前記第１駆動装置による移動方向と直交する方向に複数組の前記対になる装飾部材を纏めて移動させる第２駆動装置とを有する、
遊技機用演出装置。
【請求項４】
請求項１ないし３いずれか１項に記載の遊技機用演出装置であって、
前記装飾部材は、端部が回動可能に連結された複数の部材を有し、前記第１駆動手段により前記複数の部材が折り畳まれた前記第１状態と前記複数の部材が展開された前記第２状態とに変化可能である、
遊技機用演出装置。
【請求項５】
請求項４記載の遊技機用演出装置であって、
前記装飾部材は、前記第１状態で前記第１駆動手段により回転可能である、
遊技機用演出装置。
【発明の詳細な説明】
【技術分野】
【０００１】
本発明は、表示装置を備える遊技機に用いられる遊技機用演出装置に関する。
【背景技術】
【０００２】
従来、この種の遊技機用演出装置としては、複数の装飾部材を備え、各装飾部材が所定位置に移動することによって１つの装飾体を形成する可動役物装置が提案されている（例えば、特許文献１参照）。可動役物装置は、演出を実行しないときには、複数の装飾部材がそれぞれの退避位置に退避しており、演出を実行するときに、表示装置の前面かつ遊技領域の正面視略中央の演出位置に移動して合体することにより、１つの装飾体を形成する。
【先行技術文献】
【特許文献】
【０００３】
【特許文献１】特開２０１５−８８２４号公報
【発明の概要】
【発明が解決しようとする課題】
【０００４】
しかしながら、上述した遊技機用演出装置では、複数の装飾部材が退避位置と演出位置との間を移動するものに過ぎず、各装飾部材の動きが単調であるため、表示装置の手前で重畳して演出を行っても、遊技興趣の向上を図るには不十分である。
【０００５】
本発明の遊技機用演出装置は、複数の装飾部材と表示装置との重畳領域を多様に変化させて、遊技興趣の向上を図ることを主目的とする。
【課題を解決するための手段】
【０００６】
本発明の遊技機用演出装置は、上述の主目的を達成するために以下の手段を採った。
【０００７】
本発明の遊技機用演出装置は、
表示装置を備える遊技機に用いられる遊技機用演出装置であって、
複数の装飾部材と、
前記複数の装飾部材を第１状態と第２状態とに変化させる第１駆動手段と、
前記複数の装飾部材を前記表示装置と重畳する所定位置に移動させる第２駆動手段と、
を備え、
前記第１および第２駆動手段により、前記複数の装飾部材と前記表示装置との重畳領域を変化させる、
ことを要旨とする。
【０００８】
この本発明の遊技機用演出装置では、複数の装飾部材を表示装置と重畳する所定位置に移動させるのに加え、複数の装飾部材をそれぞれ第１状態と第２状態とに変化させることで、複数の装飾部材と表示装置との重畳領域を変化させる。これにより、複数の装飾部材と表示装置との重畳領域を遊技者が予測困難に多様に変化させて、遊技興趣をより向上させることができる。
【０００９】
こうした本発明の遊技機用演出装置において、前記第２駆動手段は、前記表示装置の表示面に平行な面に沿って互いに直交する２方向に前記複数の装飾部材を移動させるものとしてもよい。こうすれば、装飾部材の状態の変化と装飾部材の２方向の移動との組み合わせによって重畳領域を更に多様に変化させることができる。この場合、前記複数の装飾部材は、互いに対になる装飾部材が複数組あり、前記第２駆動手段は、前記対になる装飾部材を互いに近接する方向と離間する方向とに移動させる第１駆動装置と、前記第１駆動装置による移動方向と直交する方向に複数組の前記対になる装飾部材を纏めて移動させる第２駆動装置とを有するものとしてもよい。こうすれば、少ない駆動装置により、表示装置と複数の装飾部材との重畳領域を多様に変化させることができる。
【００１０】
また、本発明の遊技機用演出装置において、前記装飾部材は、端部が回動可能に連結された複数の部材を有し、前記第１駆動手段により前記複数の部材が折り畳まれた前記第１状態と前記複数の部材が展開された前記第２状態とに変化可能であるものとしてもよい。こうすれば、重畳領域を更に多様に変化させることができ、遊技興趣を一層向上させることができる。この場合、前記装飾部材は、前記第１状態で前記第１駆動手段により回転可能であるものとしてもよい。こうすれば、演出パターンを多彩にすることができる。また、１つの第１駆動手段により対応する装飾部材の状態の変化と装飾部材の回転とを可能とすることができ、装置をよりコンパクトにすることができると共にコスト低減を図ることができる。
【図面の簡単な説明】
【００１１】
【図１】遊技機１の構成の概略を示す構成図である。
【図２】遊技機用演出装置２０の外観を示す外観斜視図である。
【図３】遊技機用演出装置２０の６面図である。
【図４】可動役物５０の外観を示す外観斜視図である。
【図５】可動役物５０の６面図である。
【図６】可動役物５０を分解して示す分解斜視図である。
【図７】可動役物５０を分解して示す分解斜視図である。
【図８】ロック機構７０の構成の概略を示す構成図である。
【図９】ロック機構７０によるロックの様子を示す説明図である。
【図１０】可動役物５０の状態変化の様子を示す説明図である。
【図１１】遊技機用演出装置２０を用いた演出の様子を示す説明図である。
【図１２】遊技機用演出装置２０を用いた演出の様子を示す説明図である。
【図１３】遊技機用演出装置２０を用いた演出の様子を示す説明図である。
【図１４】遊技機用演出装置２０を用いた演出の様子を示す説明図である。
【図１５】遊技機用演出装置２０を用いた演出の様子を示す説明図である。
【図１６】変形例の可動役物１５０を分解して示す分解斜視図である。
【図１７】可動役物１５０の状態変化の様子を示す説明図である。
【図１８】可動役物１５０の状態変化の様子を示す説明図である。
【発明を実施するための形態】
【００１２】
次に、本発明を実施するための形態について図面を参照しながら説明する。
【００１３】
図１は遊技機１の構成の概略を示す構成図であり、図２は遊技機用演出装置２０の外観を示す外観斜視図であり、図３は遊技機用演出装置２０の６面図であり、図４は可動役物５０の外観を示す外観斜視図であり、図５は可動役物５０の６面図であり、図６および図７は可動役物５０を分解して示す分解斜視図である。なお、図１，２中において、上下方向をＹ軸方向とし、左右方向をＸ軸方向とし、前後方向をＺ軸方向とする。
【００１４】
遊技機１は、遊技球を用いて遊技を行なうパチンコ機として構成され、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による操作が可能な演出ボタン１８と、を備える。
【００１５】
遊技盤３は、遊技領域の右下部に配置された図柄表示装置１１と、遊技領域の中央に配置され各種演出画像を表示する画像表示装置としての液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、液晶表示装置１２を囲むように配置されたセンター役物１７と、液晶表示装置１２の前（手前）側に配置され複数の可動役物５０を用いて所定の演出を行なう遊技機用演出装置２０と、が設けられている。
【００１６】
遊技機１では、第１始動口１３や第２始動口１４へ遊技球が入球されたことに基づいて図柄表示装置１１にて特別図柄の変動表示を行ない、変動表示時間が終了すると、変動表示中の特別図柄を停止表示する。このとき、特別図柄が所定の大当り図柄で停止表示されると、大入賞口１５を開放する大当り遊技を実行する。また、遊技機１では、特別図柄の変動表示中に、液晶表示装置１２にて演出図柄を変動表示させ、特別図柄が大当り図柄で停止表示される場合には演出図柄を当り図柄で停止表示させ、特別図柄が外れ図柄で停止表示される場合には演出図柄を外れ図柄で停止表示させる図柄変動演出が行われる。図柄変動演出では、演出図柄の変動表示を伴ってリーチ演出や予告演出、ボタン演出なども行なわれ、これらの演出によって特別図柄が大当り図柄（演出図柄が当り図柄）で停止表示される可能性を遊技者に示唆する。遊技機用演出装置２０は、例えば、上述したリーチ演出や予告演出、ボタン演出を伴って液晶表示装置１２と重畳する領域内で複数の可動役物５０が移動したりその状態（形状）が変化したりすることで、演出を行なう。
【００１７】
遊技機用演出装置２０は、図２，図３に示すように、矩形のフレーム２２と、複数（本実施形態では８つ）の可動役物５０（５０Ａ〜５０Ｈ）と、各可動役物５０を左右方向（Ｘ軸方向）に移動させるＸ軸駆動装置３０（３０Ａ，３０Ｂ）と、各可動役物５０を上下方向（Ｙ軸方向）に移動させるＹ軸駆動装置４０（４０Ａ〜４０Ｄ）と、を備える。
【００１８】
Ｘ軸駆動装置３０Ａ，３０Ｂは、フレーム２２の上面および下面に前後方向（Ｚ軸方向）に並べて設けられている。このＸ軸駆動装置３０Ａ，３０Ｂは、それぞれ、図２，図３（ａ）の上面図，図３（ｅ）の下面図に示すように、正逆両回転方向の駆動が可能な上下一対の駆動モータ３１Ａ，３１Ｂと、左右方向（Ｘ軸方向）に延び駆動モータ３１Ａ，３１Ｂにより回転駆動される上下一対のボールねじシャフト３２Ａ，３２Ｂと、ボールねじシャフト３２Ａ，３２Ｂに形成された螺旋溝に螺合された上下一対の第１ボールねじナット３３Ａ，３３Ｂおよび上下一対の第２ボールねじナット３４Ａ，３４Ｂと、第１ボールねじナット３３Ａ，３３Ｂおよび第２ボールねじナット３４Ａ，３４Ｂの移動をガイドするガイドレール３７Ａ，３７Ｂと、上下一対の第１ボールねじナット３３Ａ，３３Ｂの間に取り付けられた第１Ｘ軸スライダ３５Ａ，３５Ｂと、上下一対の第２ボールねじナット３４Ａ，３４Ｂの間に取り付けられた第２Ｘ軸スライダ３６Ａ，３６Ｂと、を備える。上下一対のボールねじシャフト３２Ａ，３２Ｂの螺旋溝は、本実施形態では、左半分の領域と右半分の領域とで螺旋の捻れ方向が反対となるよう形成されており、ボールねじシャフト３２Ａ，３２Ｂの左半分の領域には第１ボールねじナット３３Ａ，３３Ｂが螺合され、ボールねじシャフト３２Ａ，３２Ｂの右半分の領域には第２ボールねじナット３４Ａ，３４Ｂが螺合されている。したがって、駆動モータ３１Ａ，３１Ｂによりボールねじシャフト３２Ａ，３２Ｂを一方向に回転駆動することで、第１ボールねじナット３３Ａ，３３Ｂおよび第２ボールねじナット３４Ａ，３４Ｂを互いに近接する方向に移動させることができ、駆動モータ３１Ａ，３１Ｂによりボールねじシャフト３２Ａ，３２Ｂを逆方向に回転駆動することで、第１ボールねじナット３３Ａ，３３Ｂおよび第２ボールねじナット３４Ａ，３４Ｂを互いに離間する方向に移動させることができる。上述したように、第１Ｘ軸スライダ３５Ａ，３５Ｂは、上下一対の第１ボールねじナット３３Ａ，３３Ｂの間に取り付けられており、第２Ｘ軸スライダ３６Ａ，３６Ｂは、上下一対の第２ボールねじナット３４Ａ，３４Ｂの間に取り付けられているから、上下一対の駆動モータ３１Ａ，３１Ｂにより上下一対のボールねじシャフト３２Ａ，３２Ｂを一方向に同期回転させることで、第１Ｘ軸スライダ３５Ａ，３５Ｂおよび第２Ｘ軸スライダ３６Ａ，３６Ｂを互いに近接する方向に移動させることができ、上下一対の駆動モータ３１Ａ，３１Ｂにより上下一対のボールねじシャフト３２Ａ，３２Ｂを逆方向に同期回転させることで、第１Ｘ軸スライダ３５Ａ，３５Ｂおよび第２Ｘ軸スライダ３６Ａ，３６Ｂを互いに離間する方向に移動させることができる。なお、第２ボールねじナット３４Ａ，３４Ｂには、被検知片３８Ａ，３８Ｂが設けられ、フレーム２２には、第２Ｘ軸スライダ３６Ａ，３６Ｂ（第１Ｘ軸スライダ３５Ａ，３５Ｂ）が初期位置にあるときに被検知片３８Ａ，３８Ｂを検知する検知センサ３９Ａ，３９Ｂが設けられている。
【００１９】
Ｙ軸駆動装置４０Ａ〜４０Ｄは、それぞれ対応するＸ軸スライダに取り付けられている。本実施形態では、図３（ｂ）の左側面図、図３（ｃ）の正面図、図３（ｄ）の右側面図および図３（Ｆ）の背面図に示すように、Ｙ軸駆動装置４０Ａは、第１Ｘ軸スライダ３５Ａに取り付けられ、Ｙ軸駆動装置４０Ｂは、第１Ｘ軸スライダ３５Ｂに取り付けられ、Ｙ軸駆動装置４０Ｃは、第２Ｘ軸スライダ３６Ａに取り付けられ、Ｙ軸駆動装置４０Ｄは、第２Ｘ軸スライダ３６Ｂに取り付けられている。Ｙ軸駆動装置４０Ａ〜４０Ｄは、それぞれ、正逆両回転方向の駆動が可能な駆動モータ４１Ａ〜４１Ｄと、上下方向（Ｙ軸方向）に延び駆動モータ４１Ａ〜４１Ｄにより回転駆動されるボールねじシャフト４２Ａ〜４２Ｄと、ボールねじシャフト４２Ａ〜４２Ｄに形成された螺旋溝に螺合された第１ボールねじナット４３Ａ〜４３Ｄおよび第２ボールねじナット４４Ａ〜４４Ｄと、第１ボールねじナット４３Ａ〜４３Ｄおよび第２ボールねじナット４４Ａ〜４４Ｄの移動をガイドするガイドレール４７Ａ〜４７Ｄと、第１ボールねじナット４３Ａ〜４３Ｄに取り付けられた第１Ｙ軸スライダ４５Ａ〜４５Ｄと、第２ボールねじナット４４Ａ〜４４Ｄに取り付けられた第２Ｙ軸スライダ４６Ａ〜４６Ｄと、を備える。ボールねじシャフト４２Ａ〜４２Ｄの螺旋溝は、本実施形態では、上半分の領域と下半分の領域とで螺旋の捻れ方向が反対となるよう形成されており、ボールねじシャフト４２Ａ〜４２Ｄの上半分の領域には第１ボールねじナット４３Ａ〜４３Ｄが螺合され、ボールねじシャフト４２Ａ〜４２Ｄの下半分の領域には第２ボールねじナット４４Ａ〜４４Ｄが螺合されている。したがって、駆動モータ４１Ａ〜４１Ｄによりボールねじシャフト４２Ａ〜４２Ｄを一方向に回転駆動することで、第１ボールねじナット４３Ａ〜４３Ｄおよび第２ボールねじナット４４Ａ〜４４Ｄを互いに近接する方向に移動させることができ、駆動モータ４１Ａ〜４１Ｄによりボールねじシャフト４２Ａ〜４２Ｄを逆方向に回転駆動することで、第１ボールねじナット４３Ａ〜４３Ｄおよび第２ボールねじナット４４Ａ〜４４Ｄを互いに離間する方向に移動させることができる。上述したように、第１ボールねじナット４３Ａ〜４３Ｄには第１Ｙ軸スライダ４５Ａ〜４５Ｄが取り付けられ、第２ボールねじナット４４Ａ〜４４Ｄには第２Ｙ軸スライダ４６Ａ〜４６Ｄが取り付けられているから、第１ボールねじナット４３Ａ〜４３Ｄおよび第２ボールねじナット４４Ａ〜４４Ｄを互いに近接する方向と離間する方向とに移動させることで、第１Ｙ軸スライダ４５Ａ〜４５Ｄおよび第２Ｙ軸スライダ４６Ａ〜４６Ｄを互いに近接する方向と離間する方向とに移動させることができる。なお、第１ボールねじナット４３Ａ〜４３Ｄには、被検知片４８Ａ〜４８Ｄが設けられ、フレーム２２には、第１Ｙ軸スライダ４５Ａ〜４５Ｄ（第２Ｙ軸スライダ４６Ａ〜４６Ｄ）が初期位置にあるときに被検知片４８Ａ〜４８Ｄを検知する検知センサ４９Ａ〜４９Ｄが設けられている。
【００２０】
可動役物５０Ａ〜５０Ｈは、遊技者側から見て正面を向く面が同一平面上に整列するように、それぞれ対応するＹ軸スライダに取り付けられている。本実施形態では、図３（ｃ）の正面図に示すように、可動役物５０Ａは、第１Ｙ軸スライダ４５Ａに取り付けられ、可動役物５０Ｂは、第１Ｙ軸スライダ４５Ｂに取り付けられ、可動役物５０Ｃは、第２Ｙ軸スライダ４６Ｂに取り付けられ、可動役物５０Ｄは、第２Ｙ軸スライダ４６Ａに取り付けれている。また、可動役物５０Ｅは、第１Ｙ軸スライダ４５Ｃに取り付けられ、可動役物５０Ｆは、第１Ｙ軸スライダ４５Ｄに取り付けられ、可動役物５０Ｇは、第２Ｙ軸スライダ４６Ｄに取り付けられ、可動役物５０Ｈは、第２Ｙ軸スライダ４６Ｃに取り付けられている。第１Ｙ軸スライダ４５Ａおよび第２Ｙ軸スライダ４６Ａは、Ｙ軸駆動装置４０Ａにより互いに対になって上下（Ｙ軸）に近接する方向と離間する方向とに移動するから、可動役物５０Ａ，５０Ｄは、Ｙ軸駆動装置４０Ａにより互いに対になって上下に近接する方向と離間する方向とに移動する。同様に、可動役物５０Ｂ，５０Ｃは、Ｙ軸駆動装置４０Ｂにより互いに対になって上下に近接する方向と離間する方向とに移動する。可動役物５０Ｅ，５０Ｈは、Ｙ軸駆動装置４０Ｃにより互いに対になって上下に近接する方向と離間する方向とに移動する。可動役物５０Ｆ，５０Ｇは、Ｙ軸駆動装置４０Ｄにより互いに対になって上下に近接する方向と離間する方向とに移動する。また、Ｙ軸駆動装置４０Ａは第１Ｘ軸スライダ３５Ａに取り付けられ、Ｙ軸駆動装置４０Ｃは第２Ｘ軸スライダ３６Ａに取り付けられているから、対になる可動役物５０Ａ，５０Ｄの組と対になる可動役物５０Ｅ，５０Ｈの組は、Ｘ軸駆動装置３０Ａにより互いの組が対になって左右（Ｘ軸）に近接する方向と離間する方向とに移動する。同様に、対になる可動役物５０Ｂ，５０Ｃの組と対になる可動役物５０Ｆ，５０Ｇの組は、Ｘ軸駆動装置３０Ｂにより互いの組が対になって左右（Ｘ軸）に近接する方向と離間する方向とに移動する。このように、可動役物５０Ａ〜５０Ｈは、それぞれＸ軸駆動装置３０Ａ，３０ＢおよびＹ軸駆動装置４０Ａ〜４０Ｄのうち対応するＸ軸駆動装置およびＹ軸駆動装置を駆動することにより、上下方向（Ｙ軸方向）および左右方向（Ｘ軸方向）に移動可能となっている。
【００２１】
また、可動役物５０（５０Ａ〜５０Ｈ）は、図４に示すように、矩形状の板体として形成される第１〜第３パネル５５〜５７を有し、第１〜第３パネル５５〜５７が三角柱状に折り畳まれた閉状態（第１状態、図４（ａ）参照）と平らに展開された開状態（第２状態、図４（ｂ）参照）とに変化可能に構成されている。なお、可動役物５０Ａ〜５０Ｄはいずれも同一の構成であり、可動役物５０Ｅ〜５０Ｈも可動役物５０Ａ〜５０Ｄと左右対称に配置されている点を除いて同一の構成を有しているから、以下、可動役物５０Ａ〜５０Ｄを、纏めて「可動役物５０」と呼ぶ場合がある。可動役物５０は、図４〜図７に示すように、モータハウジングがＹ軸スライダ４５（４５Ａ〜４５Ｄ）に固定され正逆両回転方向に駆動可能な駆動モータ５１と、駆動モータ５１により回転駆動される回転板５２と、回転板５２を相対回転可能に支持すると共に回転板５２と一体回転可能な回転ベース５３と、回転ベース５３に連結された第１パネル５５および第１パネル５５に連結された第２，第３パネル５６，５７と、Ｙ軸スライダ４５に固定されると共に回転ベース５３を相対回転可能に支持する駆動ベース５４（図５では破線で表示）と、駆動ベース５４に対する回転ベース５３の相対回転を規制するロック機構７０と、を備える。駆動モータ５１とＹ軸スライダ４５と駆動ベース５４と回転ベース５３と回転板５２は、駆動モータ５１側からこの順に配置されている。
【００２２】
駆動モータ５１の回転軸は、互いに同軸で連結する第１および第２中間軸６１，６３を介して回転板５２の回転軸５２ａに連結されている。第１中間軸６１には、周方向の一箇所に切り欠き部を有するフランジ状の被検知片６１ａが設けられ、駆動ベース５４には、回転板５２および回転ベース５３の回転位置が初期位置（例えば、第１〜第３パネル５５〜５７が閉状態で且つ第１パネル５５が遊技者側から見て正面を向く回転位置）にあるときに被検知片６１ａの切り欠き部を検知する検知センサ６２が設けられている。
【００２３】
回転板５２は、円盤状の部材として構成されている。回転板５２の回転ベース５３側の面には、回転軸５２ａの軸中心から径方向に離間した位置で回転軸５２ａと平行な方向に延びる突起５２ｂが設けられている。また、回転板５２の回転ベース５３とは反対側の面には、アーム５８，５９の一端がそれぞれ回転軸５２ａの軸中心から互いに反対側の径方向に離間した位置で回動可能に連結されている。
【００２４】
回転ベース５３には、回転板５２の回転軸５２ａが内部を貫通する筒状の回転軸５３ａが形成されると共に、回転軸５３ａを中心とした周方向に回転板５２の突起５２ｂが嵌合する円弧状の溝（円弧溝）５３ｂが形成されている。回転板５２は、その突起５２ｂが円弧溝５３ｂの一端から他端まで移動可能な範囲で回転ベース５３に対して相対回転が可能となっている。また、回転ベース５３には、回転軸５３ａの軸中心から径方向に離間した位置で回転軸５３ａと平行な方向に延びる突起５３ｃが設けられている。
【００２５】
また、回転ベース５３には、図６，図７に示すように、回転軸５３ａに平行に矩形板状の第１パネル５５が一体的に取り付けられている。第１パネル５５の対向する２つの端辺のうち一方の端辺には、第１パネル５５と略同じ形状の第２パネル５６の端辺が連結ピン６５によって回動可能に連結され、他方の端辺には、第１パネル５５と略同じ形状の第３パネル５７の端辺が連結ピン６６によって回動可能に連結されている。回転板５２に一端が連結されたアーム５８の他端には、第２パネル５６の第１パネル５５との連結辺から離間した位置（連結部５６ａ）で回動可能に連結され、回転板５２に一端が連結されたアーム５９の他端には、第３パネル５７の第１パネル５５との連結辺から離間した位置（連結部５７ａ）で回動可能に連結されている。これにより、アーム５８，５９は回転板５２の回転運動を第２パネル５６および第３パネル５７の回動運動に変換する変換機構として機能し、第１〜第３パネル５５〜５７は、アーム５８，５９を内側に引き込む方向に回転板５２を回転ベース５３に対して相対回転させることで、第１パネル５５を中央にして第２および第３パネル５６，５７を三角柱状に折り畳むことができ（閉動作、第２動作）、アーム５８，５９を押し出す方向に回転板５２を回転ベース５３に対して相対回転させることで、第１パネル５５に対して第２および第３パネル５６，５７を平らに展開することができる（開動作、第３動作）。なお、第１〜第３パネル５５〜５７が閉状態のときには、回転板５２の突起５２ｂが回転ベース５３の円弧溝５３ｂの一端に突き当たった状態となり、第１〜第３パネル５５〜５７が開状態のときには、回転板５２の突起５２ｂが回転ベース５３の円弧溝５３ｂの他端に突き当たった状態となる。回転ベース５３は、第１〜第３パネル５５〜５７が閉状態で回転板５２の突起５２ｂが円弧溝５３ｂの一端に突き当たってから更に第１〜第３パネル５５〜５７が閉じる方向に回転板５２を回転させることで、回転板５２と一体回転する。即ち、可動役物５０は、第１〜第３パネル５５〜５７の開閉動作（第２動作および第３動作）に加えて、第１〜第３パネル５５〜５７が閉状態で回転ベース５３の回転軸５３ａ周りに回転する回転動作（第１動作）が可能となっている。なお、第１〜第３パネル５５〜５７には、回転ベース５３の回転軸５３ａ周りに回転するときに、その遠心力によって第１〜第３パネル５５〜５７が開かないよう閉状態（折り畳まれた状態）を保持するために、互いに対向する面に磁石が設けられている。回転ベース５３は、第１〜第３パネル５５〜５７が開状態となって回転板５２の突起５２ｂが円弧溝５３ｂの他端に突き当たってから更に第１〜第３パネル５５〜５７が開く方向に回転板５２を回転させても、回転板５２と一体回転することになるが、本実施形態では、回転板５２の当該回転は、ロック機構７０によって禁止される。
【００２６】
駆動ベース５４は、有底円筒状の部材であり、底部中央には、回転ベース５３の回転軸５３ａが貫通する貫通孔５４ａが形成され、円筒部の内面には、ロック機構７０が設けられている。ロック機構７０は、回転板５２および回転ベース５３の回転位置が上記初期位置にある状態で、第１〜第３パネル５５〜５７が開く方向に回転板５２を回転させたときに、回転板５２に接する回転ベース５３が一体回転しないように当該回転ベース５３を駆動ベース５４にロック（固定）するものである。図８は、ロック機構の構成の概略を示す構成図である。ロック機構７０は、図８（ａ）に示すように、所定間隔を隔てて平行に突出する２つの凸部７２ａ，７２ｂを有するロック片７２と、ロック片７２を凸部７２ａ，７２ｂの突出方向に付勢するコイルスプリング７４と、を備えて構成される。凸部７２ａ，７２ｂの両側壁のうち一方の側壁は、絶壁面により形成され、他方の側壁は、傾斜面により形成されている。図９は、ロック機構７０によるロックの様子を示す説明図である。回転ベース５３の回転位置が初期位置にあるとき、図示するように、回転ベース５３の突起５３ｃがロック片７２の２つの凸部７２ａ，７２ｂの間に挟まれ、第１〜第３パネル５５〜５７が開く方向の回転板５２の回転と同方向の回転ベース５３の回転に対しては、回転ベース５３の突起５３ｃが凸部７２ａの絶壁面側の側壁に当接し、その回転が禁止される。回転板５２は、回転ベース５３に対する相対回転により第１〜第３パネル５５〜５７が開状態となると、回転板５２の突起５２ｂが回転ベース５３の円弧溝５３ｂの他端に突き当たるため、回転ベース５３に対して相対回転ができなくなり、それ以上の回転が禁止されることになる。一方、第１〜第３パネル５５〜５７が閉じる方向の回転板５２の回転と同方向の回転ベース５３の回転に対しては、回転ベース５３の突起５３ｃが凸部７２ａ，７２ｂの傾斜面側の側壁と当接し、コイルスプリング７４の収縮を伴ってロック片７２が退避するため、回転ベース５３の回転が許容される。このように、ロック機構７０は、第１〜第３パネル５５〜５７が開く方向の回転板５２の回転と同方向の回転ベース５３の回転を禁止する一方、第１〜第３パネル５５〜５７が閉じる方向の回転板５２の回転と同方向の回転ベース５３の回転を許容する。なお、ロック機構としては、図８（ｂ）のロック機構１７０に示すように、２つの凸部１７２ａ，１７３ａを別々のロック片１７２，１７３に形成し、２つのロック片１７２，１７３を別々のコイルスプリング１７４，１７５で付勢するものとしてもよい。また、図８（ｃ）のロック機構２７０に示すように、ロック片２７２に回転ベース５３の突起５３ｃと接触する凸部２７２ａを１つだけ形成するものとしてもよい。
【００２７】
第１〜第３パネル５５〜５７が閉じる方向の回転板５２の回転と同方向の回転ベース５３の回転は、ロック機構７０に代えて、磁石７６，７７によって規制される。図６に示すように、回転ベース５３の回転軸５３ａから径方向に離間した位置に凹部５３ｄが設けられ、当該凹部５３ｄには、磁石７６が埋設されている。また、図７に示すように、駆動ベース５４の貫通孔５４ａから径方向に離間した位置に円筒部５４ｂが設けられ、当該円筒部５４ｂには、向かい合う面が磁石７６と異なる極性の磁石７７が埋設されている。本実施形態では、磁石７６，７７は、それぞれ周方向に２個ずつ配置するものとしたが、１個ずつ配置するものとしてもよいし、３個以上ずつ配置するものとしてもよい。また、磁石７６，７７の一方は、他方の磁石に吸引される磁性体に置き換えるものとしてもよい。磁石７６，７７は、回転ベース５３の回転位置が初期位置（第１パネル５５が遊技者側から見て正面を向く回転位置）にあるときに対向するように位置合わせされており、磁気吸引力によって回転ベース５３に駆動ベース５４に対する回転抵抗力を付与する。これにより、第１〜第３パネル５５〜５７が閉じる方向に回転板５２を回転ベース５３に対して相対回転させることができ、第１〜第３パネル５５〜５７を開状態から閉状態にスムーズに戻すことができる。また、磁石７６，７７は、磁気吸引力によって回転ベース５３の回転抵抗力を付与するから、第１〜第３パネル５５〜５７が閉状態となって回転板５２の突起５２ｂが円弧溝５３ｂの一端に突き当たってから更に第１〜第３パネル５５〜５７が閉じる方向に回転板５２を回転させる場合、回転ベース５３に作用する回転抵抗力に打ち勝つトルクを回転板５２の回転軸５２ａに作用させればよい。これにより、回転板５２と回転ベース５３とを一体回転させて第１〜第３パネル５５〜５７を閉状態で回転させることができる。
【００２８】
図１０は、可動役物５０の状態変化の様子を示す説明図である。図示するように、第１〜第３パネル５５〜５７は、それぞれ表面に文字や絵柄、記号が描かれている。なお、第１〜第３パネル５５〜５７を透過性を有する部材により形成し、駆動ベース５４内にＬＥＤなどの発光手段を配置して、各パネルを発光させるものとしてもよい。回転板５２および回転ベース５３の回転位置が初期位置にあるときには、第１パネル５５の表面が遊技者側から見て正面に向くように、第１パネル５５に対して第２，第３パネル５６，５７が三角柱状に折り畳まれた閉状態となっている（図１０（ａ）参照）。そして、初期位置から第１〜第３パネル５５〜５７が閉じる方向に回転板５２を回転させると、回転ベース５３が回転板５２と一体回転し、第１〜第３パネル５５〜５７のうち遊技者側から見て正面を向くパネルが次々と切り替わる（図１０（ｂ）参照）。一方、初期位置から第１〜第３パネル５５〜５７が開く方向に回転板５２を回転させると、ロック機構７０のロック片７２ａにより回転ベース５３が駆動ベース５４に固定され、回転ベース５３に対して回転板５２が相対回転することで、第１〜第３パネル５５〜５７が平らに展開した開状態となる（図１０（ｃ）参照）。第１〜第３パネル５５〜５７を開状態から閉状態に戻すときには、第１〜第３パネル５５〜５７が閉じる方向に回転板５２を回転させる。この場合、回転ベース５３には、磁石７６，７７の磁気吸引力によって駆動ベース５４に対する回転抵抗力が付与されているから、回転ベース５３に対して回転板５２が相対回転し、第１パネル５５に対して第２，第３パネル５６，５７が三角柱状に折り畳まれる。
【００２９】
次に、こうして構成された実施形態の遊技機用演出装置２０の動作について説明する。図１１〜図１５は、遊技機用演出装置２０を用いた演出の様子を示す説明図である。なお、図中には、説明の都合上、Ｘ軸方向に４つの座標Ｘ１〜Ｘ４を示し、Ｙ軸方向に７つの座標Ｙ１〜Ｙ７を示した。遊技機用演出装置２０は、演出を行なわないときには、可動役物５０Ａ〜５０Ｄを液晶表示装置１２の左端に退避させると共に可動役物５０Ｅ〜５０Ｈを液晶表示装置１２の右端に退避させる（図１１参照）。遊技機用演出装置２０は、演出を行なうときには、Ｘ軸駆動装置３０Ａ，３０ＢとＹ軸駆動装置４０Ａ〜４０Ｄとにより各可動役物５０Ａ〜５０ＨをＸＹ方向に移動させると共に、駆動モータ５１により各可動役物５０Ａ〜５０Ｈの第１〜第３パネル５５〜５７を開閉動作させることで、液晶表示装置１２に対する可動役物５０Ａ〜５０Ｈの重畳領域を多様に変化させて演出効果を高めている。
【００３０】
例えば、図１２の状態では、座標（Ｘ１，Ｙ１）にある可動役物５０ＡのＸ軸方向右側とＹ軸方向下側とが空いている。このため、対応するＸ軸駆動装置３０Ａを駆動することで、可動役物５０ＡのＸ座標をＸ１からＸ２（右方向）へ移動させることができ、対応するＹ軸駆動装置４０Ａを駆動することで、可動役物５０ＡのＹ座標をＹ１からＹ２あるいはＹ３（下方向）へ移動させることができる。なお、可動役物５０Ａを右方向に移動させるときには、可動役物５０Ａと対になる可動役物５０Ｄも、右方向に移動する。同時に、可動役物５０Ａ，５０Ｄの組と対になる可動役物５０Ｅ，５０Ｈの組は、互いの組が近接するよう左方向に移動する（図中、破線参照）。また、可動役物５０Ａを下方向に移動させるときには、可動役物５０Ａと対になる可動役物５０Ｄは、可動役物５０Ａと近接するよう上方向（Ｙ６あるいはＹ５）へ移動する（図中、実線参照）。
【００３１】
また、図１３の状態では、座標（Ｘ１，Ｙ３）にある可動役物５０ＡのＸ軸方向右側とＹ軸方向上側とが空いている。このため、対応するＸ軸駆動装置３０Ａを駆動することで、可動役物５０ＡのＸ座標をＸ１からＸ２（右方向）へ移動させることができ、対応するＹ軸駆動装置４０Ａを駆動することで、可動役物５０ＡのＹ座標をＹ３からＹ２あるいはＹ１（上方向）へ移動させることができる。なお、可動役物５０Ａを右方向に移動させるときには、可動役物５０Ａと対になる可動役物５０Ｄも、右方向に移動し、可動役物５０Ａ，５０Ｄの組と対になる可動役物５０Ｅ，５０Ｈの組は、互いの組が近接するよう左方向に移動する（図中、破線参照）。また、可動役物５０Ａを上方向に移動させるときには、可動役物５０Ａと対になる可動役物５０Ｄは、可動役物５０Ａと離間するよう下方向（Ｙ６あるいはＹ７）へ移動する（図中、実線参照）。
【００３２】
各可動役物５０Ａ〜５０ＨのＸ軸方向（左右方向）およびＹ軸方向（上下方向）の移動は、第１〜第３パネル５５〜５７が三角柱状に折り畳まれた閉状態で行なわれるが、閉状態であれば各可動役物５０Ａ〜５０Ｈの位置を問わず、第１〜第３パネル５５〜５７をＸ軸方向に平行な軸周りに回転させることもできる。
【００３３】
第１〜第３パネル５５〜５７の開動作は、開動作を行なう可動役物の上下両側にそれぞれパネル１枚分の空きがある状態で行なわれ、本実施形態では、図１４，図１５に示すように、可動役物のＹ座標がＹ２あるいはＹ６にあるときに行なわれる。図１５に示すように、全ての可動役物５０Ａ〜５０Ｈの第１〜第３パネル５５〜５７を開状態とすることにより、液晶表示装置１２の画面全面を覆うことができる。また、各可動役物５０Ａ〜５０Ｈは、それぞれ独立して開閉動作が可能であるから、各可動役物５０Ａ〜５０ＨのＸＹ方向の移動に、可動役物５０Ａ〜５０Ｈの第１〜第３パネル５５〜５７の開閉動作を組み合わせることで、液晶表示装置１２と可動役物５０Ａ〜５０Ｈとの重畳領域を多様に変化させることができる。
【００３４】
以上説明した本発明の遊技機用演出装置２０は、複数の可動役物５０Ａ〜５０Ｈを液晶表示装置１２と重畳する位置に移動させ、各可動役物５０Ａ〜５０Ｈの状態を変化させる。これにより、液晶表示装置１２と可動役物５０Ａ〜５０Ｈとの重畳領域を多様に変化させることができ、遊技興趣を向上させることができる。
【００３５】
また、本発明の遊技機用演出装置２０は、Ｙ軸駆動装置４０により対になる複数（２つ）の可動役物を互いに近接または離間するようＹ軸方向に移動させ、Ｘ軸駆動装置３０により複数組（２組）の対になる可動役物を互いの組が近接または離間するようＸ軸方向に移動させる。これにより、少ない駆動装置で、複数の可動役物５０Ａ〜５０Ｈの移動パターンを多様にすることができる。
【００３６】
さらに、本発明の遊技機用演出装置２０は、駆動モータ５１により第１〜第３パネル５５〜５７が折り畳まれた閉状態と平らに展開された開状態とに変化させることで、可動役物５０Ａ〜５０Ｈの状態を変化させる。これにより、液晶表示装置１２と可動役物５０Ａ〜５０Ｈとの重畳領域を更に多様に変化させることができ、遊技興趣を一層向上させることができる。
【００３７】
可動役物５０は、駆動モータ５１の駆動により、回転ベース５３と回転板５２とを一方向に一体回転させて第１〜第３パネル５５〜５７を閉状態で回転させる回転動作（第１動作）と、回転ベース５３に対して回転板５２を逆方向に相対回転させて第１〜第３パネル５５〜５７を開く開動作（第２動作）と、回転ベース５３に対して回転板５２を一方向に相対回転させて第１〜第３パネル５５〜５７を閉じる閉動作（第３動作）とを実行可能に構成される。これにより、駆動モータ５１により対応する可動役物の状態を多様に変化させて、遊技興趣の向上を図ることができる。また、１つの駆動モータ５１により対応する可動役物５０の開閉動作と回転動作とを可能とすることができ、可動役物５０をよりコンパクトにすることができると共にコスト低減を図ることができる。
【００３８】
また、可動役物５０は、回転ベース５３の回転位置が所定位置にあるときに、ロック機構７０により第１〜第３パネル５５〜５７が開く方向の回転板５２の回転に対して回転ベース５３が一体回転しないよう回転ベース５３を駆動ベース５４に固定する。これにより、回転板５２を回転ベース５３に対して相対回転させて第１〜第３パネル５５〜５７をスムーズに開くことができる。
【００３９】
さらに、可動役物５０は、回転ベース５３の回転位置が所定位置にあるときに、磁石７６，７７の吸引力により第１〜第３パネル５５〜５７が閉じる方向の回転板５２の回転に対して回転ベース５３が一体回転しないよう回転ベース５３に回転抵抗力を付与する。これにより、回転板５２を回転ベース５３に対して相対回転させて第１〜第３パネル５５〜５７をスムーズに閉じることができる。また、駆動モータ５１により回転ベース５３に付与される回転抵抗力に打ち勝つトルクを回転板５２に作用させることで、回転ベース５３を回転板５２と一体回転させて第１〜第３パネル５５〜５７を閉状態で回転させることができる。
【００４０】
実施形態では、Ｘ軸駆動装置３０とＹ軸駆動装置４０とにより、可動役物５０をＸＹ方向に移動可能に構成したが、例えば、環状の回転テーブルにフレーム２２を設置し、回転テーブルをモータにより回転させることで、可動役物５０Ａ〜５０Ｈを液晶表示装置１２の画面に垂直な軸（Ｚ軸）周りに回転可能に構成してもよい。
【００４１】
実施形態では、可動役物５０を、閉状態（第１状態）として第１〜第３パネル５５〜５７が三角柱状に折り畳まれるよう構成したが、四角柱状に折り畳まれるよう構成してもよいし、２枚のパネルにより平らに折り畳まれるよう構成してもよい。
【００４２】
実施形態では、可動役物５０を、第１〜第３パネル５５〜５７により三角柱状に折り畳まれた閉状態（第１状態）と平らに展開された開状態（第２状態）とに変化可能としたが、可動役物５０の状態が変化可能であればよい。図１６は、変形例の可動役物１５０を分解して示す分解斜視図であり、図１７および図１８は、可動役物１５０の状態変化の様子を示す説明図である。変形例の可動役物１５０は、図示するように、第１〜第３パネル５５〜５７を備えない点と、ロック機構７０を備えない点とが実施形態の可動役物５０と異なっている。可動役物１５０の回転板１５２は、基端部が円盤状に形成されてその中心に回転軸１５２ａを有すると共に、先端部が矢印状に形成されている。また、回転板１５２は、その回転軸１５２ａの軸中心から径方向に離間した位置で回転軸１５２ａと平行な方向に延びる図示しない突起が設けられている。回転ベース１５３は、円盤状に形成される。この回転ベース１５３には、回転板１５２の回転軸１５２ａが内部を貫通する筒状の回転軸１５３ａが形成されると共に、回転軸１５３ａを中心とした周方向に回転板１５２の突起が嵌合する円弧状の溝（円弧溝）１５３ｂが形成されている。回転板１５２は、その突起が円弧溝１５３ｂの一端から他端まで移動可能な範囲で回転ベース１５３に対して相対回転が可能となっている。そして、回転ベース１５３は、回転板１５２の一方向の回転によりその突起が円弧溝１５３ｂの一端に突き当たってから更に回転板１５２がその方向に回転することで、回転板１５２と一体回転する。また、回転ベース１５３は、回転板１５２の逆方向の回転によりその突起が円弧溝１５３ｂの他端に突き当たってから更に回転板１５２がその方向に回転することで、回転板１５２と一体回転する。即ち、変形例の可動役物５０では、回転板１５２は、回転ベース１５３に対して正逆両回転方向に相対回転可能であり、回転ベース１５３は、回転板１５２と正逆両回転方向に一体回転可能である。
【００４３】
こうした変形例の可動役物１５０において、図１７，図１８に示すように、回転ベース１５３の表面にはそれぞれ大当りの可能性として異なる可能性を示唆する文字や記号が描かれた複数の領域（図の例では、「？」、「チャンス」および「激アツ」の３つ）を有する。また、回転ベース１５３の真下には、先端が真上を向く固定矢印Ａが設けられている。そして、回転板１５２が回転し（図１７の例では反時計回りの回転、図１８の例では時計回りの回転）、回転板１５２の矢印が指し示す領域が複数の領域のいずれであるかによって遊技者に対して大当りの可能性を示唆する。図の例では、回転板１５２が時計回りに回転して回転板１５２の矢印が「激アツ」を指し示す方が、回転板１５２が反時計回りに回転して回転板１５２の矢印が「チャンス」を指し示すよりも大当りの可能性が高い（図１７（ａ），（ｂ）、図１８（ａ），（ｂ）参照）。また、回転板１５２が時計回りに回転して回転板１５２の矢印が「激アツ」まで到達すると、以降、回転ベース１５３が回転板１５２と一体となって回転し、回転板１５２の矢印が指し示す領域が「激アツ」であることに加えて、固定矢印Ａが指し示す領域も「激アツ」に到達すると、大当りの可能性がより高いことを遊技者に示唆する（図１８（ｃ）参照）。
【００４４】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００４５】
実施例の主要な要素と課題を解決するための手段の欄に記載した発明の主要な要素との対応関係について説明する。実施例では、液晶表示装置１２が「表示装置」に相当し、遊技機用演出装置２０が「遊技機用演出装置」に相当し、可動役物５０（５０Ａ〜５０Ｈ）が「装飾部材」に相当し、駆動モータ５１や回転板５２、回転ベース５３、第１〜第３パネル５５〜５７、アーム５８，５９などが「第１駆動手段」に相当し、Ｘ軸駆動装置３０Ａ，３０ＢおよびＹ軸駆動装置４０Ａ〜４０Ｄが「第２駆動手段」に相当する。また、Ｙ軸駆動装置４０Ａ〜４０Ｄが「第１駆動装置」に相当し、Ｘ軸駆動装置３０Ａ，３０Ｂが「第２駆動装置」に相当する。
【００４６】
以上、本発明の実施の形態について説明したが、本発明はこうした実施形態に何等限定されるものではなく、本発明の要旨を逸脱しない範囲内において、種々なる形態で実施し得ることは勿論である。
【産業上の利用可能性】
【００４７】
本発明は、遊技機用演出装置の製造産業に利用可能である。
【符号の説明】
【００４８】
１  遊技機、２  本体、３  遊技盤、４  スピーカ、５  上受け皿、６  下受け皿、７  発射ハンドル、１１  図柄表示装置、１２  液晶表示装置、１３  第１始動口、１４  第２始動口、１５  大入賞口、１６  アウト口、１７  センター役物、２０  遊技機用演出装置、２２  フレーム、３０，３０Ａ，３０Ｂ  Ｘ軸駆動装置、３１Ａ，３１Ｂ  駆動モータ、３２Ａ，３２Ｂ  ボールねじシャフト、３３Ａ，３３Ｂ  第１ボールねじナット、３４Ａ，３４Ｂ  第２ボールねじナット、３５Ａ，３５Ｂ  第１Ｘ軸スライダ、３６Ａ，３６Ｂ  第２Ｘ軸スライダ、３７Ａ，３７Ｂ  ガイドレール、３８Ａ，３８Ｂ  被検知片、３９Ａ，３９Ｂ  検知センサ、４０，４０Ａ〜４０Ｄ  Ｙ軸駆動装置、４１Ａ〜４１Ｄ  駆動モータ、４２Ａ〜４２Ｄ  ボールねじシャフト、４３Ａ〜４３Ｄ  第１ボールねじナット、４４Ａ〜４４Ｄ  第２ボールねじナット、４５Ａ〜４５Ｄ  第１Ｙ軸スライダ、４６Ａ〜４６Ｄ  第２Ｙ軸スライダ、４７Ａ〜４７Ｄ  ガイドレール、４８Ａ〜４８Ｄ  被検知片、４９Ａ〜４９Ｄ  検知センサ、５０，５０Ａ〜５０Ｈ，１５０  可動役物、５１  駆動モータ、５２，１５２  回転板、５２ａ，１５２ａ  回転軸、５２ｂ  突起、５３，１５３  回転ベース、５３ａ，１５３ａ  回転軸、５３ｂ，１５３ｂ  円弧溝、５３ｃ  突起、５３ｄ  凹部、５４  駆動ベース、５４ａ  貫通孔、５４ｂ  円筒部、５５  第１パネル、５６  第２パネル、５６ａ  連結部、５７  第３パネル、５７ａ  連結部、５８，５９  アーム、６１  第１中間軸、６１ａ  被検知片、６２  検知センサ、６３  第２中間軸、６５，６６  連結ピン、７０，１７０，２７０  ロック機構、７２，１７２，１７３，２７２  ロック片、７２ａ，７２ｂ，１７２ａ，１７３ａ，２７２ａ  凸部、７４，１７４，１７５，２７４  コイルスプリング、７６，７７  磁石、Ａ  固定矢印。
【図１】
2018192060.tif 000003
【図２】
2018192060.tif 000004
【図３】
2018192060.tif 000005
【図４】
2018192060.tif 000006
【図５】
2018192060.tif 000007
【図６】
2018192060.tif 000008
【図７】
2018192060.tif 000009
【図８】
2018192060.tif 000010
【図９】
2018192060.tif 000011
【図１０】
2018192060.tif 000012
【図１１】
2018192060.tif 000013
【図１２】
2018192060.tif 000014
【図１３】
2018192060.tif 000015
【図１４】
2018192060.tif 000016
【図１５】
2018192060.tif 000017
【図１６】
2018192060.tif 000018
【図１７】
2018192060.tif 000019
【図１８】
2018192060.tif 000020